【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
内線の電話網の内線電話と通信可能に接続された電話番号更新装置であって、
外線の電話網の電話番号とシステム番号とが一意に対応づけられた外線情報データを記憶する外線情報データ記憶手段と、
着信先と外線の電話網の電話番号とが一意に対応づけられた電話帳を受信する電話帳受信手段と、
前記受信した電話帳に含まれる電話番号が前記外線情報データにあるかを判定する外線情報データ判定手段と、
前記受信した電話帳に含まれる、前記外線情報データ判定手段によってあると判定された電話番号を、該電話番号に一意に対応づけられているシステム番号に更新するシステム番号更新手段と、
前記受信した電話帳に含まれる電話番号がシステム番号に前記更新された電話帳を前記内線電話に送信する電話帳送信手段と、
を備えることを特徴とする電話番号更新装置。
【請求項２】
前記外線情報データ判定手段によってないと判定された場合には、システム番号を新規発行し、前記発行したシステム番号と前記外線情報データ判定手段によりないと判定された電話番号とを前記外線情報データに一意に対応づけて登録するシステム番号登録手段をさらに備え、
前記システム番号更新手段は、前記発行したシステム番号に更新することを特徴とする請求項１に記載の電話番号更新装置。
【請求項３】
外線の電話網の電話番号と内線番号とが一意に対応づけられた社内情報データを記憶する社内情報データ記憶手段と、
前記受信した電話帳に含まれる電話番号が前記社内情報データにあるかを判定する社内情報データ判定手段と、
前記受信した電話帳に含まれる、前記社内情報データ判定手段によってあると判定された電話番号を、該電話番号に一意に対応づけられている内線番号に更新する内線番号更新手段と、
をさらに備えることを特徴とする請求項１または請求項２に記載の電話番号更新装置。
【請求項４】
前記外線情報データ判定手段が判定する前に前記社内情報データ判定手段が判定し、
前記システム番号更新手段が前記発行したシステム番号に更新するよりも先に前記内線番号更新手段が内線番号に更新することを特徴とする請求項３に記載の電話番号更新装置。
【請求項５】
前記外線情報データを記憶する記憶手段と、
前記外線の電話網からの電話番号である第１の発信元番号を含む情報を受信する受信手段と、
前記受信手段で受信された前記第１の発信元番号に一意に対応づけられているシステム番号を、前記記憶手段に記憶されている前記外線情報データから検索する検索手段と、
前記第１の発信元番号を、前記検索手段により検索されたシステム番号に変換する変換手段と、
前記変換手段によりシステム番号に変換された第２の発信元番号を含む情報を、内線の電話網の着信先に着信すべく送信する送信手段と、
を有する外線の電話網との通信確立時に電話番号の変換を行う電話番号処理装置を備え、
前記電話番号処理装置と通信可能に接続された通信システムを構成することを特徴とする請求項１乃至請求項４のいずれか１項に記載の電話番号更新装置。
【請求項６】
前記外線情報データ記憶手段が記憶するシステム番号は外線の電話網の電話番号毎に固有の番号であることを特徴とする請求項１乃至請求項５のいずれか１項に記載の電話番号更新装置。
【請求項７】
内線の電話網の内線電話と通信可能に接続され、外線の電話網の電話番号とシステム番号とが一意に対応づけられた外線情報データを記憶する外線情報データ記憶手段を備える電話番号更新装置の制御方法であって、
前記電話番号更新装置の電話帳受信手段が、着信先と外線の電話網の電話番号とが一意に対応づけられた電話帳を受信する電話帳受信工程と、
前記電話番号更新装置の外線情報データ判定手段が、前記受信した電話帳に含まれる電話番号が前記外線情報データにあるかを判定する外線情報データ判定工程と、
前記電話番号更新装置のシステム番号更新手段が、前記受信した電話帳に含まれる、前記外線情報データ判定工程によってあると判定された電話番号を、該電話番号に一意に対応づけられているシステム番号に更新するシステム番号更新工程と、
前記電話番号更新装置の電話帳送信手段が、前記受信した電話帳に含まれる電話番号がシステム番号に前記更新された電話帳を前記内線電話に送信する電話帳送信工程と、
を含むことを特徴とする制御方法。
【請求項８】
内線の電話網の内線電話と通信可能に接続された電話番号更新装置で読み取り実行可能なプログラムであって、
前記電話番号更新装置を、
外線の電話網の電話番号とシステム番号とが一意に対応づけられた外線情報データを記憶する外線情報データ記憶手段と、
着信先と外線の電話網の電話番号とが一意に対応づけられた電話帳を受信する電話帳受信手段と、
前記受信した電話帳に含まれる電話番号が前記外線情報データにあるかを判定する外線情報データ判定手段と、
前記受信した電話帳に含まれる、前記外線情報データ判定手段によってあると判定された電話番号を、該電話番号に一意に対応づけられているシステム番号に更新するシステム番号更新手段と、
前記受信した電話帳に含まれる電話番号がシステム番号に前記更新された電話帳を前記内線電話に送信する電話帳送信手段と、
して機能させることを特徴とするプログラム。
【手続補正２】
【補正対象書類名】明細書
【補正対象項目名】発明の名称
【補正方法】変更
【補正の内容】
【発明の名称】電話番号更新装置、およびその制御方法とプログラム
【手続補正３】
【補正対象書類名】明細書
【補正対象項目名】０００１
【補正方法】変更
【補正の内容】
【０００１】
本発明は、電話番号更新装置、およびその制御方法とプログラムの技術に関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
外線の電話網の電話番号を利用せず外線発信が可能な仕組みとして、本出願人により内線電話から会社が管理する外線発信が可能な管理番号にて外線発信できる仕組みが提案されている。
【手続補正７】
【補正対象書類名】明細書
【補正対象項目名】００１０
【補正方法】変更
【補正の内容】
【００１０】
この仕組みを用いることにより、外線発信が可能な管理番号をダイヤル入力することで外線発信することは可能であるが、電話帳から着信先を選択して外線発信するために、内線電話の電話帳の外線の電話網の電話番号を外線発信が可能な管理番号に置き換える仕組みまでは提案されていない。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
電話帳に登録する外線の電話網の電話番号を会社が管理する外線発信が可能な管理番号に置き換えようとする際には、会社が管理する管理番号に正確に更新しないと、電話帳を更新した後に、外線の電話網の着信先に正しく外線発信できなくなってしまうという課題がある。
【手続補正１０】
【補正対象書類名】明細書
【補正対象項目名】００１３
【補正方法】変更
【補正の内容】
【００１３】
本願発明は、内線電話の電話帳の外線の電話網で使用する電話番号を、会社が管理する外線発信が可能な番号に正しく置き換えた電話帳に交換できる仕組みを提供することを目的とする。
【手続補正１１】
【補正対象書類名】明細書
【補正対象項目名】００１４
【補正方法】変更
【補正の内容】
【００１４】
本願発明は、内線の電話網の内線電話と通信可能に接続された電話番号更新装置であって、外線の電話網の電話番号とシステム番号とが一意に対応づけられた外線情報データを記憶する外線情報データ記憶手段と、着信先と外線の電話網の電話番号とが一意に対応づけられた電話帳を受信する電話帳受信手段と、前記受信した電話帳に含まれる電話番号が前記外線情報データにあるかを判定する外線情報データ判定手段と、前記受信した電話帳に含まれる、前記外線情報データ判定手段によってあると判定された電話番号を、該電話番号に一意に対応づけられているシステム番号に更新するシステム番号更新手段と、前記受信した電話帳に含まれる電話番号がシステム番号に前記更新された電話帳を前記内線電話に送信する電話帳送信手段と、を備えることを特徴とする。
【手続補正１２】
【補正対象書類名】明細書
【補正対象項目名】００１５
【補正方法】変更
【補正の内容】
【００１５】
また、前記外線情報データ判定手段によってないと判定された場合には、システム番号を新規発行し、前記発行したシステム番号と前記外線情報データ判定手段によりないと判定された電話番号とを前記外線情報データに一意に対応づけて登録するシステム番号登録手段をさらに備え、前記システム番号更新手段は、前記発行したシステム番号に更新することを特徴とする。
【手続補正１３】
【補正対象書類名】明細書
【補正対象項目名】００１６
【補正方法】変更
【補正の内容】
【００１６】
また、外線の電話網の電話番号と内線番号とが一意に対応づけられた社内情報データを記憶する社内情報データ記憶手段と、前記受信した電話帳に含まれる電話番号が前記社内情報データにあるかを判定する社内情報データ判定手段と、前記受信した電話帳に含まれる、前記社内情報データ判定手段によってあると判定された電話番号を、該電話番号に一意に対応づけられている内線番号に更新する内線番号更新手段と、をさらに備えることを特徴とする。
【手続補正１４】
【補正対象書類名】明細書
【補正対象項目名】００１７
【補正方法】変更
【補正の内容】
【００１７】
また、前記外線情報データ判定手段が判定する前に前記社内情報データ判定手段が判定し、前記システム番号更新手段が前記発行したシステム番号に更新するよりも先に前記内線番号更新手段が内線番号に更新することを特徴とする。
【手続補正１５】
【補正対象書類名】明細書
【補正対象項目名】００１８
【補正方法】変更
【補正の内容】
【００１８】
また、前記外線情報データを記憶する記憶手段と、前記外線の電話網からの電話番号である第１の発信元番号を含む情報を受信する受信手段と、前記受信手段で受信された前記第１の発信元番号に一意に対応づけられているシステム番号を、前記記憶手段に記憶されている前記外線情報データから検索する検索手段と、前記第１の発信元番号を、前記検索手段により検索されたシステム番号に変換する変換手段と、前記変換手段によりシステム番号に変換された第２の発信元番号を含む情報を、内線の電話網の着信先に着信すべく送信する送信手段と、を有する外線の電話網との通信確立時に電話番号の変換を行う電話番号処理装置を備え、前記電話番号処理装置と通信可能に接続された通信システムを構成することを特徴とする。
【手続補正１６】
【補正対象書類名】明細書
【補正対象項目名】００１９
【補正方法】変更
【補正の内容】
【００１９】
また、前記外線情報データ記憶手段が記憶するシステム番号は外線の電話網の電話番号毎に固有の番号であることを特徴とする。
【手続補正１７】
【補正対象書類名】明細書
【補正対象項目名】００２０
【補正方法】変更
【補正の内容】
【００２０】
本願発明により、内線電話の電話帳の外線の電話網で使用する電話番号を、会社が管理する外線発信が可能な番号に正しく置き換えた電話帳に交換できる仕組みを提供することが可能となる。